(57)【要約】【課題】  表示端末の種類に適した表示データを配信することができるデータ管理装置、データ配信システムを提供する。【解決手段】  表示画面４ｂを有する表示端末４と、表示端末４の表示画面４ｂに表示させる表示データを送信するデータ配信サーバ２と、表示端末４およびデータ配信サーバ２との間で通信を行うデータ管理装置３とを備え、データ管理装置３は、データ配信サーバ２から受信した表示データを表示端末４へ送信する場合、表示データ内のリンクデータ、画像データ等の特定情報を削除するか否かを送信先の表示端末４の種類毎に判断する。【選択図】図１
2015138401.tif 000002
【特許請求の範囲】
【請求項１】
表示画面を有する第１端末と前記第１端末の前記表示画面に表示させる表示データを送信する第２端末との間で通信を行うデータ管理装置であって、
前記第２端末から受信した前記表示データを前記第１端末へ送信する場合、前記表示データ内の特定情報を削除するか否かを送信先の前記第１端末の種類毎に判断する
ことを特徴とするデータ管理装置。
【請求項２】
前記表示データ内の前記特定情報を削除するか否かを前記第１端末の種類毎に設定した表示制御情報が付加された前記表示データを前記第２端末から受信し、
前記第１端末へ送信する前記表示データ内の前記特定情報を削除するか否かを前記表示制御情報に基づいて判断する
ことを特徴とする請求項１記載のデータ管理装置。
【請求項３】
前記表示制御情報は、前記第１端末の種類毎に各ビットを対応付けたフラグ情報であることを特徴とする請求項１または２記載のデータ管理装置。
【請求項４】
前記特定情報は、リンク先を設定された情報であることを特徴とする請求項１乃至３いずれか記載のデータ管理装置。
【請求項５】
前記第１端末および前記第２端末との間で通信を行う通信部と、
前記通信部が前記第２端末から受信した前記表示データを格納する記憶部と、
前記記憶部に格納した前記表示データを前記第１端末へ送信する場合、前記表示データ内の前記特定情報を削除するか否かを送信先の前記第１端末の種類毎に判断する制御部と
を備えることを特徴とする請求項１乃至４いずれかデータ管理装置。
【請求項６】
表示画面を有する第１端末と、
前記第１端末の前記表示画面に表示させる表示データを送信する第２端末と、
前記第１端末および前記第２端末との間で通信を行うデータ管理装置とを備え、
前記データ管理装置は、前記第２端末から受信した前記表示データを前記第１端末へ送信する場合、前記表示データ内の特定情報を削除するか否かを送信先の前記第１端末の種類毎に判断する
ことを特徴とするデータ配信システム。
【発明の詳細な説明】
【技術分野】
【０００１】
本発明は、一般にデータ管理装置、データ配信システム、より詳細には表示データの送受信を行うデータ管理装置、データ配信システムに関するものである。
【背景技術】
【０００２】
従来、情報提供用端末からデータ管理装置へ表示データを送信し、データ管理装置が表示データを中継して、携帯端末に表示データを表示させるデータ配信システムがある（例えば、特許文献１参照）。
【０００３】
このデータ配信システムでは、情報提供用端末から送信される表示データに、エリア条件およびタイミング条件といった表示条件が付されている。また、携帯端末は、移動履歴をデータ管理装置へ送信しておく。そして、情報提供用端末と携帯端末との間の通信を中継するデータ管理装置は、複数の携帯端末の中から、表示条件を充足する携帯端末へ表示データを送信する。
【先行技術文献】
【特許文献】
【０００４】
【特許文献１】特開２００４−２３４６４４号公報
【発明の概要】
【発明が解決しようとする課題】
【０００５】
データ配信システムで送受信される表示データは、リンク先を設定された文字列等の情報を含むハイパーテキスト、写真等の画像情報を含む場合がある。
【０００６】
しかし、表示データを受信する表示端末がスマートフォン、携帯電話である場合、リンク先のコンテンツがパーソナルコンピュータ用であれば、このリンク先のコンテンツを正常に表示することができない。また、表示画面のサイズが小さい表示端末は、データ量が大きい画像情報を表示できない場合がある。すなわち、表示端末の種類によっては、リンク先のコンテンツを表示できない端末、データ量が大きい画像情報を表示できない端末がある。
【０００７】
従来のデータ配信システムでは、ユーザが用いる表示端末が表示データを１００％活用できるか否かに関係なく、全種類の表示端末に同じ表示データが配信されていた。
【０００８】
本発明は、上記事由に鑑みてなされたものであり、その目的は、表示端末の種類に適した表示データを配信することができるデータ管理装置、データ配信システムを提供することにある。
【課題を解決するための手段】
【０００９】
本発明のデータ管理装置は、表示画面を有する第１端末と前記第１端末の前記表示画面に表示させる表示データを送信する第２端末との間で通信を行うデータ管理装置であって、前記第２端末から受信した前記表示データを前記第１端末へ送信する場合、前記表示データ内の特定情報を削除するか否かを送信先の前記第１端末の種類毎に判断することを特徴とする。
【００１０】
この発明において、前記表示データ内の前記特定情報を削除するか否かを前記第１端末の種類毎に設定した表示制御情報が付加された前記表示データを前記第２端末から受信し、前記第１端末へ送信する前記表示データ内の前記特定情報を削除するか否かを前記表示制御情報に基づいて判断することが好ましい。
【００１１】
この発明において、前記表示制御情報は、前記第１端末の種類毎に各ビットを対応付けたフラグ情報であることが好ましい。
【００１２】
この発明において、前記特定情報は、リンク先を設定された情報であることが好ましい。
【００１３】
この発明において、前記第１端末および前記第２端末との間で通信を行う通信部と、前記通信部が前記第２端末から受信した前記表示データを格納する記憶部と、前記記憶部に格納した前記表示データを前記第１端末へ送信する場合、前記表示データ内の前記特定情報を削除するか否かを送信先の前記第１端末の種類毎に判断する制御部とを備えることが好ましい。
【００１４】
本発明のデータ配信システムは、表示画面を有する第１端末と、前記第１端末の前記表示画面に表示させる表示データを送信する第２端末と、前記第１端末および前記第２端末との間で通信を行うデータ管理装置とを備え、前記データ管理装置は、前記第２端末から受信した前記表示データを前記第１端末へ送信する場合、前記表示データ内の特定情報を削除するか否かを送信先の前記第１端末の種類毎に判断することを特徴とする。
【発明の効果】
【００１５】
以上説明したように、本発明では、表示端末（第１端末）は、自端末の種類に応じて特定情報が削除された表示データをデータ管理装置から配信されるので、不要な情報が表示されることがなく、ユーザにとって使いやすい画面表示となる。すなわち、本発明のデータ管理装置、データ配信システムは、表示端末の種類に適した表示データを配信することができるという効果がある。
【図面の簡単な説明】
【００１６】
【図１】実施形態のデータ配信システムの構成を示すブロック図である。
【図２】（ａ）はリンクデータの表示の可否を設定したフラグ情報であり、（ｂ）は画像データの表示の可否を設定したフラグ情報を示すフォーマット図である。
【図３】リンクデータを含む表示データを示す平面図である。
【図４】リンクデータを削除した表示データを示す平面図である。
【図５】画像データを含む表示データを示す平面図である。
【図６】画像データを削除した表示データを示す平面図である。
【発明を実施するための形態】
【００１７】
以下、本発明の実施の形態を図面に基づいて説明する。
【００１８】
（実施形態）
図１は、本実施形態のデータ配信システムの構成を示す。
【００１９】
データ配信システムは、データ提供サーバ１、データ配信サーバ２（第２端末）、データ管理装置３、表示端末４（第１端末）、ルータ５を主構成として備える。
【００２０】
データ管理装置３、表示端末４、ルータ５は宅内に設置され、データ提供サーバ１、データ配信サーバ２は屋外の遠隔地に設置される。そして、データ提供サーバ１、データ配信サーバ２は、図示しないルータ等を介してインターネット等の広域ネットワーク６に接続している。データ管理装置３は、ルータ５を介して広域ネットワーク６に接続している。データ管理装置３と表示端末４とは、無線または有線のＨＡＮ（Home Area Network）で構成された宅内ネットワーク７を介して互いに通信可能に構成される。なお、インターネット、ＨＡＮ等を用いた通信については周知であるので、詳細な説明は省略する。
【００２１】
データ提供サーバ１は、表示端末４に表示させる表示データ（宅内のユーザに通知するメッセージ）を広域ネットワーク６経由でデータ配信サーバ２へ送信する。この表示データは、テキストデータ、リンクデータ、画像データ等で構成される。テキストデータは、データ提供サーバ１の管理会社から宅内のユーザ宛に通知するメッセージである。リンクデータは、リンク先を設定された情報であり、他のコンテンツにジャンプするためにテキストデータの文字列等に設定されたリンク先のＵＲＬ（Uniform Resource Locator）情報である。画像データは、写真、動画等のデータである。
【００２２】
データ配信サーバ２は、データ提供サーバ１から受信した表示データをデータ管理装置３へ送信する。データ管理装置３は、データ配信サーバ２から受信した表示データを格納し、この表示データを表示端末４へ送信する。
【００２３】
表示端末４は、通信部４ａ、表示画面４ｂを備える。通信部４ａは、表示データを受信し、表示画面４ｂは、通信部４ａが受信した表示データを表示する。さらに、表示端末４には、通信部４ａがデータ管理装置３、ルータ５を介して広域ネットワーク６に接続することによって、外部サーバ（図示なし）のコンテンツを取得して表示画面４ｂに表示するブラウザ機能を有するものがある。この表示端末４には、パーソナルコンピュータ、スマートフォン、携帯電話、インターネットテレビ、専用端末等の様々な種類がある。表示端末４は、端末全体を管理するオペレーティングシステムによっても種類を区別することができる。すなわち、表示端末４は、端末の構成、大きさ、オペレーティングシステム等に依存する表示データ、コンテンツ等の表示性能によって、複数種類に分類される。なお、複数の表示端末４を種類毎に区別する場合、表示端末４１，４２，４３，．．．の符号を付す。
【００２４】
そして、表示端末４は、その種類によっては、パーソナルコンピュータ向けに作成されたコンテンツを表示できない端末、データ量が大きい画像情報を表示できない端末等がある。
【００２５】
例えば、リンクデータを設定された文字列が表示画面４ｂに表示されていた場合、表示端末４は、ユーザ操作によってこの文字列がクリックされると、リンク先のコンテンツを取得して表示画面４ｂに表示する。しかし、リンク先のコンテンツがパーソナルコンピュータ用に作成されている場合、表示端末４の中には、このコンテンツを正常に表示できない端末がある（例えば、スマートフォン、携帯電話等）。
【００２６】
また、表示画面４ｂのサイズが小さい表示端末４は、表示データ内に大容量の画像データがあったとしても、その画像データを正常に表示できない。また、ブラウザを搭載していない表示端末４は、表示データがハイパーテキストで構成されていたとしても、ハイパーリンク機能に対応できない。
【００２７】
すなわち、表示端末４は、その種類によって、表示データ内の特定情報による機能を使いこなすことができなかったり、表示データ内の特定情報を正常に表示できない場合がある。特定情報には、リンク先を設定されたリンクデータや、写真、動画等の画像データなどがある。
【００２８】
そこで、データ提供サーバ１は、送信する表示データに表示制御情報を付加しておく。この表示制御情報は、表示データ内の特定情報を削除するか否かを表示端末４の種類毎に指示する情報である。
【００２９】
すなわち、表示制御情報が表示データに付加されることによって、表示端末４の種類毎に表示データ内の特定情報を削除するか否かが決められている。表示制御情報は、図２（ａ）、図２（ｂ）に示すように、表示端末４の種類毎に各ビットを対応付けたフラグ情報であることが好ましい。このフラグ情報は、複数ビットのビット列で構成されており、各ビットが表示端末４の各種類に対応している。図２（ａ）は、リンクデータを削除するか否かを示すフラグ情報であり、図２（ｂ）は、画像データを削除するか否かを示すフラグ情報である。図２（ａ）、図２（ｂ）において、フラグ情報の１ビット目がオペレーティングシステム「ＯＳ１」を搭載したスマートフォン、２ビット目がオペレーティングシステム「ＯＳ２」を搭載したスマートフォンに対応している。さらにフラグ情報の３ビット目がインターネットテレビ、４ビット目が専用端末、５ビット目がパーソナルコンピュータに対応している。そして、ビットが「１」である場合、対応する表示端末４に送信される表示データは特定情報を残しており、ビットが「０」である場合、対応する表示端末４に送信される表示データは特定情報を削除される。
【００３０】
図２（ａ）において、リンクデータを残した表示データを用いる表示端末４は、３〜５ビット目に対応するインターネットテレビ、専用端末、パーソナルコンピュータである。図２（ｂ）において、画像データを残した表示データを用いる表示端末４は、３，５ビット目に対応するインターネットテレビ、パーソナルコンピュータである。
【００３１】
そしてデータ管理装置３は、通信部３ａと、制御部３ｂと、記憶部３ｃとを備える。通信部３ａは、ルータ５を介して広域ネットワーク６に接続してデータ配信サーバ２との間で通信を行い、さらに宅内ネットワーク７を通して表示端末４との間で通信を行う。記憶部３ｃは、データ配信サーバ２から受信した表示データおよび表示制御情報を互いに対応付けて格納する。制御部３ｂは、記憶部３ｃに格納している表示データを表示端末４へ送信する場合、この表示データに対応付けられた表示制御情報に基づいて、表示データから特定情報を削除するか否かを送信先の表示端末４の種類毎に判断する。
【００３２】
表示制御情報が付加された表示データは、データ提供サーバ１からデータ配信サーバ２へ送信され、データ配信サーバ２は、この表示制御情報が付加された表示データをデータ管理装置３へ送信する。以下、データ管理装置３が、特定情報を含む表示データを表示制御情報に基づいて表示端末４へ送信する処理について説明する。
【００３３】
まず、表示端末４は、一定時間毎、またはユーザ操作等の所定のトリガ発生時に、データ管理装置３へ配信要求を送信する。この配信要求には、送信元の表示端末４の種類に関する情報（種類情報）が付加されている。
【００３４】
図１において、例えば表示端末４１は、パーソナルコンピュータ、表示端末４２は、オペレーティングシステム「ＯＳ１」を搭載したスマートフォン、表示端末４３は、専用端末である。この場合、表示端末４１は、パーソナルコンピュータであることを示す種類情報を配信要求に付加して送信する。表示端末４２は、オペレーティングシステム「ＯＳ１」を搭載したスマートフォンであることを示す種類情報を配信要求に付加して送信する。表示端末４３は、専用端末であることを示す種類情報を配信要求に付加して送信する。
【００３５】
データ管理装置３では、配信要求を受信すると、制御部３ｂが記憶部３ｃに表示データが格納されているか否かを判断する。制御部３ｂは、表示データが記憶部３ｃに格納されていれば、この表示データに対応する表示制御情報を記憶部３ｃから読み出す。そして、表示制御情報が図２（ａ）に示すフラグ情報である場合、制御部３ｂは、この表示制御情報を参照して、受信した配信要求に付加されていた種類情報に対応するビットが「１」であれば、要求元の表示端末４はリンクデータを使用可能であると判断する。また、制御部３ｂは、表示制御情報を参照して、受信した配信要求に付加されていた種類情報に対応するビットが「０」であれば、要求元の表示端末４はリンクデータを使用不可能であると判断する。
【００３６】
制御部３ｂは、リンクデータを使用可能である表示端末４に対しては、リンクデータを含む表示データを通信部３ａに送信させる。制御部３ｂは、リンクデータを使用不可能である表示端末４に対しては、表示データからリンクデータを削除し、通信部３ａは、このリンクデータを削除された表示データを送信する。
【００３７】
例えば、表示端末４１は、パーソナルコンピュータであるのでリンクデータを使用可能であり、データ管理装置３は、リンクデータを含む表示データを表示端末４１へ送信する。また、表示端末４３は、専用端末であるのでリンクデータを使用可能であり、データ管理装置３は、リンクデータを含む表示データを表示端末４３へ送信する。表示端末４１，４３の表示画面４ｂには、図３に示す表示データが表示される。図３の表示データは、ユーザに通知するメッセージ内容を記したテキストデータ９１に、この表示データの配信元である管理会社のホームページ等にジャンプするためのリンクデータが設定された文字列９２が含まれている。表示端末４１，４３は、文字列９２をクリックするユーザ操作によって、リンクデータ９２に設定されたＵＲＬにアクセスし、このＵＲＬのコンテンツを表示画面４ｂに表示する。
【００３８】
また、表示端末４２は、オペレーティングシステム「ＯＳ１」を搭載したスマートフォンであるのでリンクデータを使用不可能であり、データ管理装置３は、リンクデータを削除した表示データを表示端末４２へ送信する。表示端末４２の表示画面４ｂには、図４に示す表示データが表示される。図４の表示データは、ユーザに通知するメッセージ内容を記したテキストデータ９３のみである。このテキストデータ９３は、図３のテキストデータ９１からリンクデータを削除したものである。
【００３９】
次に、表示制御情報が図２（ａ）に示すフラグ情報である場合、制御部３ｂは、表示制御情報を参照して、受信した配信要求に付加されていた種類情報に対応するビットが「１」であれば、要求元の表示端末４は画像データを使用可能であると判断する。また、制御部３ｂは、表示制御情報を参照して、受信した配信要求に付加されていた種類情報に対応するビットが「０」であれば、要求元の表示端末４は画像データを使用不可能であると判断する。
【００４０】
制御部３ｂは、画像データを使用可能である表示端末４に対しては、画像データを含む表示データを通信部３ａに送信させる。制御部３ｂは、画像データを使用不可能である表示端末４に対しては、表示データから画像データを削除し、通信部３ａは、この画像データを削除された表示データを送信する。
【００４１】
例えば、表示端末４１は、パーソナルコンピュータであるので画像データを使用可能であり、データ管理装置３は、画像データを含む表示データを表示端末４１へ送信する。表示端末４１の表示画面４ｂには、図５に示す表示データが表示される。図５の表示データは、ユーザに通知するメッセージ内容を記したテキストデータ９４と、写真等の画像データ９５とから構成される。
【００４２】
また、表示端末４２は、オペレーティングシステム「ＯＳ１」を搭載したスマートフォンであるので画像データを使用不可能であり、データ管理装置３は、画像データを削除した表示データを表示端末４２へ送信する。また、表示端末４３は、専用端末であるので画像データを使用不可能であり、データ管理装置３は、画像データを削除した表示データを表示端末４３へ送信する。表示端末４２，４３の表示画面４ｂには、図６に示す表示データが表示される。図６の表示データは、ユーザに通知するメッセージ内容を記したテキストデータ９４のみである。
【００４３】
したがって、表示端末４は、自端末の種類に応じて特定情報が削除された表示データをデータ管理装置３から配信されるので、不要な情報が表示されることがなく、ユーザにとって使いやすい画面表示となる。すなわち、データ管理装置３を用いたデータ配信システムは、表示端末４の種類に適した表示データを配信することができる。
【００４４】
また、上述のデータ管理装置３は、表示制御情報が付加された表示データを受信することで、表示制御情報を取得している。この場合、表示データ毎に表示制御情報を設定できるので、例えば、表示データに含まれる画像データの使用可否を、表示データ毎に画像データの容量に応じて設定できる。したがって、表示端末４の種類による特定情報の使用の可否を、表示データ毎に個別且つ柔軟に設定できる。
【００４５】
なお、データ管理装置３が、特定情報毎の表示制御情報を予め保持している構成でもよい。
【００４６】
また本実施形態では、リンクデータ、画像データを特定情報として挙げているが、表示端末４の種類によって使用の可否が決まる表示データ内の情報であれば、他の情報を特定情報としてもよい。
【００４７】
上述のデータ管理装置３は、表示画面４ｂを有する表示端末４（第１端末）と表示端末４の表示画面４ｂに表示させる表示データを送信するデータ配信サーバ２（第２端末）との間で通信を行うデータ管理装置である。このデータ管理装置３は、データ配信サーバ２から受信した表示データを表示端末４へ送信する場合、表示データ内の特定情報を削除するか否かを送信先の表示端末４の種類毎に判断することを特徴とする。
【００４８】
また、上述のデータ配信システムは、表示画面４ｂを有する表示端末４（第１端末）と、表示端末４の表示画面４ｂに表示させる表示データを送信するデータ配信サーバ２（第２端末）とを備える。さらにデータ配信システムは、表示端末４およびデータ配信サーバ２との間で通信を行うデータ管理装置３を備える。データ管理装置３は、データ配信サーバ２から受信した表示データを表示端末４へ送信する場合、表示データ内の特定情報を削除するか否かを送信先の表示端末４の種類毎に判断する。
【符号の説明】
【００４９】
１  データ提供サーバ
２  データ配信サーバ（第２端末）
３  データ管理装置
３ａ  通信部
３ｂ  制御部
３ｃ  記憶部
４  表示端末（第１端末）
４ｂ  表示画面
【図１】
2015138401.tif 000003
【図２】
2015138401.tif 000004
【図３】
2015138401.tif 000005
【図４】
2015138401.tif 000006
【図５】
2015138401.tif 000007
【図６】
2015138401.tif 000008